(57)【要約】【課題】従来のアンテナの伸縮機構は、複数の歯車、ベルト状歯車或いは開閉ばね等を必要とするため、構造が複雑になる。【解決手段】ヒンジ部６の回転軸２に固定された第１のギア８、アンテナ３に形成された直線状の歯と噛合する第２のギア１２、第２のギア１２の回転軸に固定された第３のギア１１、第１のギア８と第３のギア１１に巻回されたベルト１４によってアンテナ伸縮機構を構成する。そして、このアンテナ伸縮機構により携帯電話端末のベース４とトップ５の開閉に連動して自動でアンテナ３を伸縮させる。【選択図】        図１
2005012351.tif 000002
【特許請求の範囲】
【請求項１】
ヒンジ部を中心にベースとトップが開閉する折り畳み式の携帯電話端末において、前記ヒンジ部の回転軸に固定された第１のギアと、アンテナに直線状に形成された歯車と噛合する第２のギアと、前記第２のギアの回転軸に固定された第３のギアと、前記第１のギアと第３のギアに巻回されたベルトとを含み、前記ベースとトップの開閉に連動して前記アンテナを伸縮させるアンテナ伸縮機構を有することを特徴とする携帯電話端末。
【請求項２】
前記ベルトは、弾性材料より成ることを特徴とする請求項１に記載の携帯電話端末。
【請求項３】
ヒンジ部を中心にベースとトップが開閉する折り畳み式の携帯電話端末において、前記ヒンジ部の回転軸に固定された第１のギアと、アンテナに直線状に形成された歯車と噛合する第２のギアと、前記第２のギアの回転軸に固定された第３のギアと、前記第１のギアの回転を前記第３のギアに伝達する第４のギアとを含み、前記ベースとトップの開閉に連動して前記アンテナを伸縮させるアンテナ伸縮機構を有することを特徴とする携帯電話端末。
【請求項４】
前記第４のギアは、互いに噛合し、回転方向が反対で回転数が同じの２つのギアからなることを特徴とする請求項３に記載の携帯電話端末。
【請求項５】
ヒンジ部を中心にベースとトップが開閉する折り畳み式の携帯電話端末において、前記ヒンジ部の回転軸の回転によって発電する発電装置と、前記発電装置の電力によって回転するモータと、前記モータの回転をアンテナの伸縮運動に変換する機構とを含み、前記ベースとトップの開閉に連動して前記アンテナを伸縮させるアンテナ伸縮機構を有することを特徴とする携帯電話端末。
【請求項６】
前記変換機構は、アンテナに直線状に形成された歯車と、この歯車と噛合するギアから成ることを特徴とする請求項５に記載の携帯電話端末。
【発明の詳細な説明】
【０００１】
【発明の属する技術分野】
本発明は、折り畳み式の携帯電話端末に関し、特に、携帯電話端末の開閉に連動してアンテナを伸縮させる機構に関するものである。
【０００２】
【従来の技術】
近年、携帯電話機が小型化・多機能化するに伴い、ユーザーが携帯電話機を使用する時間も増えている。現在、市販されている携帯電話機の種類を見ると、ストレートタイプ（一体型、スティックタイプ等とも呼ばれている）よりも折り畳みタイプの数が多い。将来、次世代携帯電話の特徴にあるようにアンテナ内蔵タイプが増えるかもしれないが、現在のところ可動アンテナ付折り畳み式携帯電話機が最も一般的なタイプである。
【０００３】
しかしながら、折り畳み式携帯電話機はアンテナを手動で伸縮しなければならず、この動作全てを片手で行う場合もある。そこで、従来、折り畳み式携帯電話機のアンテナを自動で伸縮させる方法が提案されている。
【０００４】
例えば、特開２０００−１８４０５９号公報には、モータとギアを用いてアンテナを伸縮させる方法が提案されている（特許文献１参照）。
【０００５】
また、特開平５−３３６０２２号公報には、ヒンジ部のギアユニットによりアンテナを収縮させる方法が提案されている（特許文献２参照）。
【０００６】
【特許文献１】
特開２０００−１８４０５９号公報（段落００１６〜００１８）
【特許文献２】
特開平５−３３６０２２号公報（段落００２３〜００２４）
【０００７】
【発明が解決しようとする課題】
特許文献１のものでは、モータを電池の電力を用いて駆動するため、電池の寿命が短くなってしまう。また、特許文献２のものでは、複数の歯車、ベルト状歯車或いは開閉ばね等を必要とするため、構造が複雑になるという問題があった。
【０００８】
本発明は、上記従来の問題点に鑑みなされたもので、その目的は、簡単な構造でアンテナを伸縮させることが可能な携帯電話端末を提供することにある。
【０００９】
また、本発明は、電池を使用せずにアンテナを伸縮させることが可能な携帯電話端末を提供することにある。
【００１０】
【課題を解決するための手段】
本発明は、上記目的を達成するため、ヒンジ部を中心にベースとトップが開閉する折り畳み式の携帯電話端末において、前記ヒンジ部の回転軸に固定された第１のギアと、アンテナに直線状に形成された歯車と噛合する第２のギアと、前記第２のギアの回転軸に固定された第３のギアと、前記第１のギアと第３のギアに巻回されたベルトとを含み、前記ベースとトップの開閉に連動して前記アンテナを伸縮させるアンテナ伸縮機構を有することを特徴とする。
【００１１】
また、本発明は、ヒンジ部を中心にベースとトップが開閉する折り畳み式の携帯電話端末において、前記ヒンジ部の回転軸に固定された第１のギアと、アンテナに直線状に形成された歯車と噛合する第２のギアと、前記第２のギアの回転軸に固定された第３のギアと、前記第１のギアの回転を前記第３のギアに伝達する第４のギアとを含み、前記ベースとトップの開閉に連動して前記アンテナを伸縮させるアンテナ伸縮機構を有することを特徴とする。
【００１２】
更に、本発明は、ヒンジ部を中心にベースとトップが開閉する折り畳み式の携帯電話端末において、前記ヒンジ部の回転軸の回転によって発電する発電装置と、前記発電装置の電力によって回転するモータと、前記モータの回転をアンテナの伸縮運動に変換する機構とを含み、前記ベースとトップの開閉に連動して前記アンテナを伸縮させるアンテナ伸縮機構を有することを特徴とする。
【００１３】
【発明の実施の形態】
図１は本発明のアンテナ自動伸縮補助装置を有する折り畳み式携帯電話端末の一実施形態を示す平面図、図２はその側面図である。なお、携帯電話端末とは、携帯電話機、ＰＨＳ等を含むものとする。
【００１４】
図中１は折り畳み式携帯電話端末内部に搭載されたアンテナ自動伸縮補助装置、２は軸である。また、３はアンテナ、４はベース、５はトップ、６はヒンジ部である。携帯電話端末はベース４とトップ５がヒンジ部６を中心に折り畳むことが可能である。また、アンテナ３は伸縮自在の構造である。アンテナ自動伸縮補助装置１はヒンジ部６の軸２を通して伝わってきたトップ５の回転を、アンテナ３を伸縮させるための動きへと変換する。
【００１５】
図３はこの場合のフローチャートを示す。携帯電話端末が開閉すると（Ｓ１０１）、それに応じて軸２が回転し（Ｓ１０２）、アンテナ自動伸縮補助装置１はこの軸２の回転をアンテナ３の上下移動による伸縮運動に変換する（Ｓ１０３、Ｓ１０４）。
【００１６】
このように携帯電話端末を開閉すると、アンテナ自動伸縮補助装置１の働きによってアンテナ３が同時に伸縮するため、手動でのアンテナ伸縮という動作を省くことができる。また、片手がふさがってしまっている状態でも容易にアンテナ３を伸ばした状態にすることができ、携帯電話端末の使い勝手を向上することができる。
【００１７】
図４はアンテナ自動伸縮補助装置１の一例を示す。図４（ａ）は平面図、図４（ｂ）は側面図である。図中７は数個のギアによって構成されたギアボックスであり、ギア８は軸２に固定されている。ギア８の回転はギア９、ギア１０、ギア１１を介してギア１２に伝達され、ギア８、９、１０、１１によって二段掛歯車装置が構成されている。また、ギア１２は軸１３によってギア１１と固定され、ギアボックス７全体が多段掛歯車装置となっている。
【００１８】
軸２は携帯電話端末のトップ５が開閉することにより回転し、軸２に固定されたギア８は軸２が回転することにより回転する。アンテナ３には長手方向に沿って直線歯形の歯車（図示せず）が形成され、これにギア１２が噛合している。そのため、ギア１２の回転運動がアンテナ３の直線運動に変換され、アンテナ３が伸縮する。なお、ギアボックス７は数個のギアだけで構成されているため、電力を必要とせずバッテリーに負担をかけることはない。
【００１９】
次に、図５を参照して携帯電話端末が開閉する場合の動作を説明する。まず、ユーザが携帯電話端末のトップ５を開くと（Ｓ２０１）、軸２は左回り（回転方向は図１中の側面から見た状態を基準とする）に回転する（Ｓ２０２）。ギア８は軸２に固定されているため回転方向、回転数ともに軸２と同様に回転する（Ｓ２０３）。ギア８の回転はギア８より小さい半径を持つギア９の右回りの速い回転へと変換される（Ｓ２０４）。
【００２０】
ギア９の回転はギア１０、１１に伝達され、ギア１０、１１はギア９と同形状のため、同じ速さで回転する。回転方向はそれぞれ左回り、右回りとなる（Ｓ２０５、２０６）。ギア１１の回転により軸１３が右回りに回転し（Ｓ２０７）、ギア１２も右回りに回転する（Ｓ２０８）。ギア１１とギア１２は軸１３によって固定されているため、ギア１２の回転方向、回転数はともギア１１と同じである。そして、ギア１２の右回りの速い回転はアンテナ３の上方向への移動に変わる（Ｓ２０９）。携帯電話端末を閉じる場合には、逆の働きをし、アンテナ３が縮む。よって、携帯電話端末の開閉によってアンテナ３が伸縮するため、手動でアンテナ３を伸縮させる手間がなくなる。
【００２１】
このようにヒンジ部６の内部の軸２とアンテナ３をつなぐ形でアンテナ自動伸縮補助装置１が搭載されているので、携帯電話端末を開閉することによってアンテナ３も同時に伸縮する。よって、手動によるアンテナ３の伸縮という手間を削減でき、片手しか空いていない状態でも簡単にアンテナ３を伸縮させることが可能である。なお、ギア９、１０、１１のサイズを調整することによって、アンテナ３が伸縮する長さを調整することも可能である。
【００２２】
図６はアンテナ自動伸縮補助装置１の他の例を示す側面図である。まず、ギア８は軸２に固定されている。また、ギア１２の回転軸にはギア１１が固定され、このギア１１とギア８にはベルト１４が巻回されている。ベルト１４としては弾性材料が望ましく、例えば、ゴム製のものを用いている。また、アンテナ３にはその長手方向に沿って直線歯型の歯車（図示せず）が形成され、このアンテナ３の歯にギア１２が噛合しており、ギア１２の回転をアンテナ３の伸縮運動に変換する。
【００２３】
軸２は図１の携帯電話端末のトップ５が開くと、図中の矢印方向に回転し、それに伴いギア１１、ギア１２が矢印方向に回転するため、アンテナ３は図中の矢印方向に伸びる。また、携帯電話端末のトップ５を閉じると、軸２が反対方向に回転するため、ギア１１、ギア１２が反対方向に回転し、アンテナ３は反対に縮む。
【００２４】
このようにギアとベルトを組み合わせた簡単な構造のアンテナ自動伸縮補助装置で、アンテナ３を携帯電話端末の開閉動作に連動して伸縮させることができる。また、携帯電話端末を開閉すれば自動でアンテナ３が伸縮するため、片手しか空いていない状態でも、簡単にアンテナを伸縮させることが可能である。更に、ゴム製のベルト１４を利用することにより、ノイズの発生を抑制することが可能である。
【００２５】
図７はアンテナ自動伸縮補助装置１の更に他の例を示す平面図である。図中２は軸、３はアンテナである。また、１５は発電装置、１７はモータ、１６は発電装置１５で発電した電力をモータ１７に供給する導線である。モータ１７の回転軸にはギア１８が固定され、且つ、アンテナ３にはその長手方向に沿って直線歯型の歯車（図示せず）が形成され、この歯にギア１８が噛合しており、ギア１８の回転をアンテナ３の伸縮運動に変換する。
【００２６】
携帯電話端末のトップ５が開くと、軸２が一方向に回転し、軸２の回転が発電装置１５によって電力に変換される。発電装置１５で発生した電力は導線１６を通してモータ１７に供給され、モータ１７が回転する。モータ１７の回転はギア１８を介してアンテナ３に伝達されるが、この時、ギア１８はアンテナ３を伸ばす方向に回転するため、アンテナ３が自動で伸びる。
【００２７】
また、携帯電話端末を閉じると、軸２が反対方向に回転し、モータ１７も反対方向に回転するため、ギア１８も反対方向に回転しアンテナ３は縮む。このように発電装置１５を用いて軸２の回転を電力に変換することにより、アンテナ３を伸縮させることができる。また、モータ１７を動かす為の電力を必要とするが、電力は電池からではなく発電装置１５によって作り出す為、電池の消耗がない。
【００２８】
【発明の効果】
以上説明したように本発明によれば、簡単な構成で携帯電話端末の開閉に連動してアンテナを伸縮させることができる。また、片手しか空いていない状態でも、簡単にアンテナを伸縮することができる。更に、発電装置の電力を用いてアンテナを伸縮させることにより、電池の消耗なしでアンテナを伸縮させることができる。
【図面の簡単な説明】
【図１】本発明のアンテナ自動伸縮補助装置を有する折り畳み式携帯電話端末の一実施形態を示す平面図である。
【図２】図１の側面図である。
【図３】図１の携帯電話端末の開閉によるアンテナの伸縮動作を説明するフローチャートである。
【図４】図１のアンテナ自動伸縮補助装置の一例を示す図である。
【図５】図４のアンテナ自動伸縮補助装置の動作を説明するフローチャートである。
【図６】図１のアンテナ自動伸縮補助装置の他の例を示す図である。
【図７】図１のアンテナ自動伸縮補助装置の更に他の例を示す図である。
【符号の説明】
１  アンテナ自動伸縮補助装置
２  軸
３  アンテナ
４  ベース
５  トップ
６  ヒンジ部
７  ギアボックス
８〜１２  ギア
１３  軸
１４  ベルト
１５  発電装置
１６  導線
１７  モータ
１８  ギア
【図１】
2005012351.tif 000003
【図２】
2005012351.tif 000004
【図３】
2005012351.tif 000005
【図４】
2005012351.tif 000006
【図５】
2005012351.tif 000007
【図６】
2005012351.tif 000008
【図７】
2005012351.tif 000009